(57)【要約】【課題】  屋根への平板状地瓦の葺設作業において、切断されて不使用として廃棄される平板状地瓦の有効利用を図る。【解決手段】  不要瓦１ｂを調整用瓦１ａとして使用するに適した巾に切断して２次調整用瓦１ｃとし、且つ該２次調整用瓦１ｃの左側端縁部の下面に、補助水返し部材２１の支持片２４を配設して、該支持片２４および補強片２５により該２次調整用瓦１ｃの左側端縁部を支持すると共に、前記補助水返し部材２１の摺接片２３を前記２次調整用瓦１ｃの左側端縁部に当接して、該補助水返し部材２１を該２次調整用瓦１ｃに連結固定し、更に前記２次調整用瓦１ｃに固定された前記補助水返し部材２１の水返し片７上に、平板状地瓦１の右側端部を載置固定する。【選択図】図１
2007239379.tif 000002
【特許請求の範囲】
【請求項１】
不要瓦の左側端縁に摺接して、上端縁が不要瓦の上端面と面一となる摺接片を立設すると共に、該摺接片の下縁部より内側方向水平に、前記不要瓦の左側端部下面に位置して支持する支持片を延設し、且つ該支持片の内側端に垂直な補強片を連設する一方、前記摺接片の下端側より外側方向水平に補助水返し片を突設して補助水返し部材を形成する一方、前記不要瓦を調整用瓦として使用するに適した巾に切断して２次調整用瓦とし、且つ該２次調整用瓦の左側端縁部の下面に、補助水返し部材の支持片を配設して、該支持片および補強片により該２次調整用瓦の左側端縁部を支持すると共に、前記補助水返し部材の摺接片を前記２次調整用瓦の左側端縁部に当接して、該補助水返し部材を該２次調整用瓦に連結固定し、更に前記２次調整用瓦に固定された前記補助水返し部材の水返し片上に、平板状地瓦の右側端部を載置固定することを特徴とする平板状地瓦の連結装置。
【発明の詳細な説明】
【技術分野】
【０００１】
本発明は、屋根への平板状地瓦の葺設作業において、切断されて不使用として廃棄される平板状地瓦の有効利用を図ることができる平板状地瓦の連結装置に関するものである。
【背景技術】
【０００２】
従来、平板状地瓦を複数枚屋根へ葺設する場合、隅瓦と隅瓦間に平板状地瓦を所定枚数互いに接合固定して葺設しているが、屋根によっては複数枚の平板状地瓦の巾で収まるのはまれで、大部分の葺設現場では１枚の平板状地瓦を巾調整用瓦として所定巾に切断して巾を調整して葺設していた。そして、これら平板状地瓦を切断して巾を調整する状態が下記の非特許文献１に記載されている。
【０００３】
【非特許文献１】藤澤工業株式会社が、２００５年１月に発行した「エアルーフ・ドリーム３０  標準施工マニアル」の第２０頁〜第２２頁、第３３頁、第４３頁の記事
【発明の開示】
【発明が解決しようとする課題】
【０００４】
前記非特許文献１に記載されているものを、そのまま図３として示しているが、葺き終わり側の隅瓦横に平板状地瓦を１枚入れ、これに接する平板状地瓦を調整用瓦として用い、これを必要巾に切断して使用している。そして、前記切断した後、使用されずに残されて不要となった平板状地瓦は、再生使用されることなく、産業廃棄物として処理されており、全く資源の無駄遣いで、数が多くなれば経済的損失が大きいという課題があった。
【０００５】
本発明は、前記課題を解決すべくなされたもので、切断されて不要となった平板状地瓦の一端部に、他の平板状地瓦と連結することができる連結部材を配設することにより、本来廃棄されるべき切断された平板状地瓦を再生使用することができる平板状地瓦の連結装置を提供しようとするものである。
【課題を解決するための手段】
【０００６】
本発明は、不要瓦の左側端縁に摺接して、上端縁が不要瓦の上端面と面一となる摺接片を立設すると共に、該摺接片の下縁部より内側方向水平に、前記不要瓦の左側端部下面に位置して支持する支持片を延設し、且つ該支持片の内側端に垂直な補強片を連設する一方、前記摺接片の下端側より外側方向水平に補助水返し片を突設して補助水返し部材を形成する一方、前記不要瓦を調整用瓦として使用するに適した巾に切断して２次調整用瓦とし、且つ該２次調整用瓦の左側端縁部の下面に、補助水返し部材の支持片を配設して、該支持片および補強片により該２次調整用瓦の左側端縁部を支持すると共に、前記補助水返し部材の摺接片を前記２次調整用瓦の左側端縁部に当接して、該補助水返し部材を該２次調整用瓦に連結固定し、更に前記２次調整用瓦に固定された前記補助水返し部材の水返し片上に、平板状地瓦の右側端部を載置固定するという手段を採用することにより、上記課題を解決した。
【発明の効果】
【０００７】
本発明による平板状地瓦の連結装置を用いることにより、従来は産業廃棄物として処理されるべき切断された平板状地瓦を、再生使用することができるので、資源の有効利用を図ることができる。
【実施例】
【０００８】
本発明の実施例を図面に基づいて詳細に説明すると、本発明連結装置に使用する平板状地瓦１は、前記非特許文献１に記載されたものを、図１として示しているが、一方側端部に水切り２を備えたものを使用する。
【０００９】
すなわち、平板状地瓦１は、平板状基板３の下方側端部に直角に折曲した折曲片４を垂設すると共に、該平板状基板３の表面上方側に、雨が横すべりしないようにする凹凸面５を設ける一方、前記平板状基板３の左側端縁部において、中央に水を流す凹状溝６を凹設した小巾の水返し片７を備えた水切り２を、前記平板状基板３の上面よりやや低い位置に接合固定して形成されている。
【００１０】
そして、前記構成より成る平板状地瓦１を図３に示すように、葺き始め側の隅瓦１０ａに続いて、その横方向に複数枚の平板状地瓦１を葺設し、葺き終わり側の隅瓦１０ｂの横に、平板状地瓦１を１枚入れ、これに接する平板状地瓦１を調整用瓦として用いるべく、図４に示すように、これを必要巾に切断して左側端部に水切り２を備えた調整用瓦１ａと、不要瓦１ｂとに分離する。
【００１１】
そして、前記必要巾に切断した調整用瓦１ａは、図５に示すように、前記他の平板状地瓦１と同様の方法により平板状地瓦１間に葺設される。一方、不要瓦１ｂは、その左側端部には水切り２が備えられていないため、該不要瓦１ｂを、平板状地瓦１間において、そのまま再生使用することはできない。
【００１２】
前記不要瓦１ｂを廃棄することなく再生使用するため、本発明は該不要瓦１ｂの左側端部に、補助水返し部材２１を装着して、不要瓦１ｂを前記調整用瓦１ａと同様に、巾を調整して所定巾に切断して２次調整用瓦１ｃとして使用するようにしたものである。
【００１３】
すなわち、補助水返し部材２１は、特に限定する必要はないが、好ましくはステンレス板または鋼板により形成されており、図６・図７に示すように、２次調整用瓦１ｃの左側端縁に摺接して、上端縁２２が２次調整用瓦１ｃの上端面と面一となる摺接片２３を立設すると共に、該摺接片２３の下縁部より内側方向水平に、前記不要瓦１ｂの左側端部下面に位置して支持する支持片２４を延設し、且つ該支持片２４の内側端に垂直な補強片２５を連設する一方、前記摺接片２３の下端側より外側方向水平に、前記平板状地瓦１の水返し片７の役目をする補助水返し片２６を突設して形成されている。
【００１４】
前記補助水返し片２６は、前記平板状地瓦１の水返し片７と同様、水返し部２７と該水返し部２７の下方部に下方へ湾曲した水落し部２８を連設すると共に、前記水返し部２７の上端部は平板状地瓦１の右側の上端部に当接して位置決めをするストッパー突起２９を突設し、更に前記水返し部２７と水落し部２８の外側端には、補助用の垂設片３０を直角に連設して形成されている。
【００１５】
そして、不要瓦１ｂを調整用瓦として使用する場合、図８に示すように、先ず前記不要瓦１ｂを調整用瓦として使用するに適した巾に切断して２次調整用瓦１ｃとする。その後、図９に示すように、前記２次調整用瓦１ｃの左側端縁部の下面に、補助水返し部材２１の支持片２４を配設して、該支持片２４および補強片２５により該２次調整用瓦１ｃの左側端縁部を支持すると共に、前記補助水返し部材２１の摺接片２３を前記２次調整用瓦１ｃの左側端縁部に当接して、該補助水返し部材２１を該２次調整用瓦１ｃに連結固定する。
【００１６】
前記補助水返し部材２１を２次調整用瓦１ｃに連結固定した後、図１０に示すように、該２次調整用瓦１ｃに固定された補助水返し部材２１の補助水返し片２６上に、葺き終わり側の隅瓦１０ｂに連なる平板状地瓦１の右側端部を載置して固定する。
【００１７】
これら作業は、平板状地瓦１を上段へそれぞれ葺設して行く場合も同様の作業となり、これら作業を繰返すことにより平板状地瓦１の葺設作業を完了する。なお、２次調整用瓦１ｃとするために切断された残りの部分は、従来の切断された不要瓦に比すれば当然ながら小巾となり、廃棄される部分は少なくなる。
【図面の簡単な説明】
【００１８】
【図１】本発明平板状地瓦の連結装置に使用する平板状地瓦の斜視図である。
【図２】本発明平板状地瓦の連結装置に使用する平板状地瓦を上下方向に載置重合して葺設した状態を示す縦断面図である。
【図３】本発明平板状地瓦の連結装置に使用する平板状地瓦を葺設して行く状態を示す概略説明図である。
【図４】本発明平板状地瓦の連結装置に使用する平板状地瓦を必要巾に切断して調整用瓦と不要瓦とに分離した状態を示す斜視図である。
【図５】図４に示す調整用瓦を用いて平板状地瓦を葺設した状態を示す縦断面図である。
【図６】本発明平板状地瓦の連結装置に使用する平板状地瓦に使用する補助水返し部材を右方向から見た斜視図である。
【図７】同左方向から見た斜視図である。
【図８】本発明平板状地瓦の連結装置において、補助水返し部材を２次調整用瓦に連結固定しようとする状態を示す斜視図である。
【図９】本発明平板状地瓦の連結装置において、補助水返し部材を２次調整用瓦に連結固定した状態を示す斜視図である。
【図１０】本発明平板状地瓦の連結装置を連結固定した２次調整用瓦に平板状地瓦を横方向に連結固定した状態を示す縦断面図である。
【符号の説明】
【００１９】
１  平板状地瓦
１ａ  調整用瓦
１ｂ  不要瓦
１ｃ  ２次調整用瓦
２１  補助水返し部材
２２  上端縁
２３  摺接片
２４  支持片
２５  補強片
２６  補助水返し片
２７  水返し部
【図１】
2007239379.tif 000003
【図２】
2007239379.tif 000004
【図３】
2007239379.tif 000005
【図４】
2007239379.tif 000006
【図５】
2007239379.tif 000007
【図６】
2007239379.tif 000008
【図７】
2007239379.tif 000009
【図８】
2007239379.tif 000010
【図９】
2007239379.tif 000011
【図１０】
2007239379.tif 000012